(57)【要約】      （修正有）【課題】異なる左右方向に揺れ動いても損傷することなく、揺れ動きをスムーズに吸収することができ、自動的に元の状態へ戻すことができる天井用目地装置。【解決手段】目地部側躯体３に両端部が取付けられた中央維持機構４と、この中央維持機構４の中央部に上端部が取付けられ下端部が目地部の開口端部に位置するガイド板７と、このガイド板７に先端部が支持され、後端部が前記左右の目地部側躯体にヒンジ部材８を介して設けられた一対の天井目地パネル９と、この一対の天井目地パネル９の先端部を上方へ案内するガイド部材１０と、一対の天井目地パネルの先端部をガイド板７に支持させる天井目地パネル支持手段１３とで天井用目地装置を構成する。【選択図】図３
2010053506.tif 000002
【特許請求の範囲】
【請求項１】
目地部を介して設けられた左右の建物の、目地部の開口端部から目地部の幅寸法より上部位置の左右の建物の目地部側躯体に両端部が取付けられた中央部が、常時目地部の中央部に位置する少なくとも２個以上の中央維持機構と、この少なくとも２個以上の中央維持機構の中央部に上端部が取付けられ、下端部が前記目地部の開口端部に位置し、端部に左右方向へ突出する支持板を有するガイド板と、このガイド板の支持板に先端部が支持され、後端部が前記左右の目地部側躯体にヒンジ部材を介してほぼ水平状態となるように設けられた一対の天井目地パネルと、この一対の天井目地パネルの先端部に目地部が狭くなると、前記ガイド板によって該一対の天井目地パネルの先端部を上方へ案内するガイド部材と、前記一対の天井目地パネルの先端部を前記ガイド板の支持板に支持させられるように支持する一対の天井目地パネル支持手段とからなることを特徴とする天井用目地装置。
【発明の詳細な説明】
【技術分野】
【０００１】
本発明は目地部を介して設けられた免震等の左右の建物の天井目地部を覆う天井用目地装置に関する。
【背景技術】
【０００２】
従来、この種の天井用目地装置は目地部の左右の躯体にヒンジ部材を介して目地部を覆うように一対の天井目地パネルを設け、目地部が狭くなる揺れ動き時に一対の天井目地パネルの先端部の傾斜面によって上方あるいは下方へ回動して、その揺れ動きを吸収するように構成されている。
【０００３】
このため、小さな左右方向の異なる揺れ動きは安全に吸収することができるが、目地部の左右方向の寸法の半分以上、左右の建物が揺れ動いた場合、一方の天井目地パネルが左右の目地部側の躯体によって押し圧され、損傷するという欠点があった。
【特許文献１】特開２００４−１２４５７１
【発明の開示】
【発明が解決しようとする課題】
【０００４】
本発明は以上のような従来の欠点に鑑み、異なる左右方向に大きく揺れ動いても損傷することなく、その揺れ動きをスムーズに吸収することができ、揺れ動きが停止すると自動的に元の状態へ戻すことができる天井用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の建物の目地部の開口端部から目地部の幅寸法より上部位置の左右の建物の目地部側躯体に両端部が取付けられた中央部が、常時目地部の中央部に位置する少なくとも２個以上の中央維持機構と、この少なくとも２個以上の中央維持機構の中央部に上端部が取付けられ、下端部が前記目地部の開口端部に位置し、端部に左右方向へ突出する支持板を有するガイド板と、このガイド板の支持板に先端部が支持され、後端部が前記左右の目地部側躯体にヒンジ部材を介してほぼ水平状態となるように設けられた一対の天井目地パネルと、この一対の天井目地パネルの先端部に目地部が狭くなると、前記ガイド板によって該一対の天井目地パネルの先端部を上方へ案内するガイド部材と、前記一対の天井目地パネルの先端部を前記ガイド板の支持板に支持させられるように支持する一対の天井目地パネル支持手段とで天井用目地装置を構成している。
【発明の効果】
【０００７】
以上の説明から明らかなように、本発明にあっては次に列挙する効果が得られる。
【０００８】
（１）左右の建物の目地部の開口端部から目地部の幅寸法より上部位置の左右の建物の目地部側躯体に両端部が取付けられた中央部が、常時目地部の中央部に位置する少なくとも２個以上の中央維持機構と、この少なくとも２個以上の中央維持機構の中央部に上端部が取付けられ、下端部が前記目地部の開口端部に位置し、端部に左右方向へ突出する支持板を有するガイド板と、このガイド板の支持板に先端部が支持され、後端部が前記左右の目地部側躯体にヒンジ部材を介してほぼ水平状態となるように設けられた一対の天井目地パネルと、この一対の天井目地パネルの先端部に目地部が狭くなると、ガイド板によって該一対の天井目地パネルの先端部を上方へ案内するガイド部材と、一対の天井目地パネルの先端部をガイド板の支持板に支持させられるように支持する一対の天井目地パネル支持手段とで構成されているので、地震で目地部が狭くなるように揺れ動くと、一対の天井目地パネルの先端部のガイド部材がガイド板によって、ほぼ垂直状態になるように上方へスムーズに移動して、その揺れ動きを吸収することができる。
したがって、一対の天井目地パネルがほぼ垂直状態になるまで上方へ回動するので、目地部の左右方向の寸法が半分以下になっても、損傷することなく、その揺れ動きを吸収することができる。
【０００９】
（２）前記（１）によって、一対の天井目地パネルの先端部を、ガイド部材を介してガイド板に沿って移動させるので、一対の天井目地パネルの移動がスムーズで、確実に元の状態へ戻すことができる。
【００１０】
（３）前記（１）によって、一対の天井目地パネルの中央部にガイド板が位置した状態となり、美観の向上を図ることができる。
【発明を実施するための最良の形態】
【００１１】
以下、図面に示す本発明を実施するための最良の形態により、本発明を詳細に説明する。
【００１２】
図１ないし図７に示す本発明を実施するための最良の第１の形態において、１は目地部２を介して設けられた左右の建物３、３の天井部分の目地部２を覆う本発明の天井用目地装置で、この天井用目地装置１は前記目地部２の開口端部２ａから、目地部の幅寸法Ｌより上部位置の左右の建物３、３の目地部側躯体３ａ、３ａに両端部が取付けられた中央部が、常時前記目地部２の中央部に位置する少なくとも２個以上の中央維持機構４、４と、この少なくとも２個以上の中央維持機構４、４の中央枢支部５、５に上端部が取付けられ、下端部が前記目地部２の開口端部２ａに位置し、端部に左右方向へ突出する支持板６を有するガイド板７と、このガイド板７の支持板６に先端部が支持され、後端部が前記左右の目地部側躯体３ａ、３ａにヒンジ部材８、８を介してほぼ水平状態となるように設けられた一対の天井目地パネル９、９と、この一対の天井目地パネル９、９の先端部に、目地部２が狭くなると前記ガイド板７によって、該一対の天井目地パネル９、９の先端部を上方へ案内する、前記ヒンジ部材８、８の支点よりも上方に支点を有するローラ１０、１０が先端部に有するガイド部材１１、１１と、前記一対の天井目地パネル９、９の先端部を前記ガイド板７の支持板６に支持されるように支持する、一端部が該一対の天井目地パネル９、９の先端部寄りの部位に取付けられ、他端部が前記左右の目地部側躯体３ａ、３ａの上部とに取付けられた吊りワイヤー１２、１２を用いた一対の天井目地パネル支持手段１３、１３とで構成されている。
【００１３】
前記少なくとも２個以上の中央維持機構４、４は四角形状が２個のパンタグラフ形状のリンク機構１４と、このリンク機構１４の両端部の枢支部に枢支ピン１５、１５を介して取付けられた左右の目地部側躯体３ａ、３ａの取付部材１６、１６とで構成されている。
【００１４】
前記ガイド板７は板状のガイド板本体１７と、このガイド板本体１７の上部をほぼ直角に折り曲げて形成した、前記中央維持機構４、４の中央枢支部５、５に中央枢支ピン１８、１８を介して枢支される取付部１９と、前記ガイド板本体１７の下端部に固定された、前記一対の天井目地パネル９、９の先端部を支持する支持部６ａ、６ａとなる支持板６とで構成されている。  
【００１５】
前記一対の天井目地パネル９、９は目地部２の幅寸法Ｌの半分より小さな幅寸法の天井目地パネル本体２０、２０と、この天井目地パネル本体２０、２０の先端部の下面に形成された、前記支持板６の支持部６ａ、６ａへスムーズに戻るように形成された傾斜面２１、２１とで構成されている。
【００１６】
上記構成の天井用目地装置１は、通常時には図１ないし図３に示すように、目地部２の天井部位はガイド板７の支持板６および一対の天井目地パネル９、９がほぼ水平状態に位置して天井目地部を覆っている。
地震によって目地部２が狭くなるように左右の建物３、３が揺れ動いた場合、図５に示すように少なくとも２個以上の中央維持機構４、４で、目地部２の中央部にガイド板７が維持されるとともに、ガイド部材１１、１１のローラ１０、１０がガイド板７に当接して、図６に示すようにローラ１０、１０が転動しながら上方へ移動し、一対の天井目地パネル９、９を回動させて、その揺れ動きを吸収する。
なお、支持板６の両端部が左右の目地部側躯体３ａ、３ａに当接する状態まで目地部２が狭くなる揺れ動きを吸収することができる。
揺れ動きが停止する場合には、ガイド部材１１、１１のローラ１０、１０がガイド板７に当接しながら一対の天井目地パネル９、９が戻るため、スムーズに戻すことができる。
【００１７】
地震によって目地部２が広くなるように左右の建物３、３が揺れ動いた場合、図７に示すように一対の天井目地パネル支持手段１３、１３としての吊りワイヤー１２、１２によって、一対の天井目地パネル９、９はほぼ水平状態を保って、ガイド板７の支持板６より一対の天井目地パネル９、９の先端部が離れて、その揺れ動きを吸収する。
揺れ動きが停止する場合、一対の天井目地パネル９、９の先端部が傾斜面２１、２１になっているため、スムーズに支持板６の支持部６ａ、６ａへ支持されるように自動的に戻る。
[発明を実施するための異なる形態]
【００１８】
次に、図８ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図８ないし図１１に示す本発明を実施するための第２の形態において、前記本発明を実施するための最良の第１の形態と主に異なる点は、目地部側の左右の躯体３ａ、３ａにほぼ水平状態で固定された左右のガイドレール２２、２２と、この左右のガイドレール２２、２２に両端部がローラ２３、２３を介してスライド移動可能に、ほぼ４５度傾斜されて支持された少なくとも２個以上の支持バー２４、２４、この支持バー２４、２４の中央部に形成された中央枢支部５、５とからなる中央維持機構４Ａ、４Ａを用いた点で、このような中央維持機構４Ａ、４Ａを用いて構成した天井用目地装置１Ａにしても、前記本発明を実施するための最良の第１の形態と同様な作用効果が得られる。
【００２０】
図１２ないし図１４に示す本発明を実施するための第３の形態において、前記本発明を実施するための最良の第１の形態と主に異なる点は、一対の天井目地パネル９、９の先端部寄りの部位にほぼ４５度の傾斜で先端部が半円弧状に形成されたガイド部材１１Ａ、１１Ａを取付けた点で、このようなガイド部材１１Ａ、１１Ａを用いて構成した天井用目地装置１Ｂにしても、前記本発明を実施するための最良の第１の形態と同様な作用効果が得られる。
【００２１】
図１５ないし図１７に示す本発明を実施するための第４の形態において、前記本発明を実施するための最良の第１の形態と主に異なる点は、一対の天井目地パネル９、９をほぼ水平状態に保ことができるように、該一対の天井目地パネル９、９の後端部に左右の目地部側躯体３ａ、３ａに当接する天井目地パネル支持手段としてのストッパー２５、２５を固定した点で、このようなストッパー２５、２５を用いた一対の天井目地パネル９、９を使用した天井用目地装置１Ｃにしてもよい。
なお、一対の天井目地パネル９、９があまり大きくない場合には、９０度だけ開閉するヒンジ部材を用いることにより、ヒンジ部材に天井目地パネル支持手段を兼用させてもよい。
また、中央維持機構として一対のラックの中央部に、該一対のラックをスライド移動可能に支持するとともに、一対のラックと噛み合うピニオンを支持した支持筒を用いたギヤ式の中央維持機構を用いてもよい。
【００２２】
図１８ないし図２０に示す本発明を実施するための第５の実施例において、前記本発明を実施するための最良の第１の形態と主に異なる点は、ガイド板７の下端部にヒンジ部材８、８を介して一対の天井目地パネル９、９を取付けるとともに、左右の目地部側躯体３ａ、３ａ側の遊端部に、先端にローラ１０、１０を用いたガイド部材１１、１１を用いるとともに、一対の天井目地パネル９、９の遊端部を支持する支持板６、６を左右の目地部側躯体３ａ、３ａに取付けた点で、このように構成した天井用目地装置１Ｄにしてもよい。
【産業上の利用可能性】
【００２３】
本発明は天井用目地装置を製造する産業で利用される。
【図面の簡単な説明】
【００２４】
【図１】本発明を実施するための最良の第１の形態の平面図。
【図２】本発明を実施するための最良の第１の形態の底面図。
【図３】図１の３−３線に沿う断面図。
【図４】図１の４−４線に沿う断面図。
【図５】本発明を実施するための最良の第１の形態の目地部が狭くなりはじめの動作説明図。
【図６】本発明を実施するための最良の第１の形態の目地部が狭くなった動作説明図。
【図７】本発明を実施するための最良の第１の形態の目地部が広くなった動作説明図。
【図８】本発明を実施するための第２の形態の平面図。
【図９】図８の９−９線に沿う断面図。
【図１０】本発明を実施するための第２の形態の目地部が狭くなった時の平面図。
【図１１】本発明を実施するための第２の形態の目地部が狭くなった動作説明図。
【図１２】本発明を実施するための第３の形態の平面図。
【図１３】図１２の１３−１３線に沿う断面図。
【図１４】本発明を実施するための第３の形態の目地部が狭くなった動作説明図。
【図１５】本発明を実施するための第４の形態の平面図。
【図１６】図１５の１６−１６線に沿う断面図。
【図１７】本発明を実施するための第４の形態の目地部が広くなった動作説明図。
【図１８】本発明を実施するための第５の形態の平面図。
【図１９】図１８の１９−１９線に沿う断面図。
【図２０】本発明を実施するための第５の形態の目地部が狭くなった動作説明図。
【符号の説明】
【００２５】
１、１Ａ、１Ｂ、１Ｃ、１Ｄ：天井用目地装置、
２：目地部、                  ３：建物、
Ｌ：目地部の幅寸法、          ４、４Ａ：中央維持機構、
５：中央枢支部、              ６：支持板、
７：ガイド板、                ８：ヒンジ部材、
９：天井目地パネル、          １０：ローラ、
１１、１１Ａ：ガイド部材、    １２：吊りワイヤー、
１３：天井目地パネル支持手段、１４：リンク機構、
１５：枢支ピン、              １６：取付部材、
１７：ガイド板本体、          １８：中央枢支ピン、
１９：取付部、                ２０：天井目地パネル本体、
２１：傾斜面、                ２２：ガイドレール、
２３：ローラ、                ２４：支持バー、
２５：ストッパー。
【図１】
2010053506.tif 000003
【図２】
2010053506.tif 000004
【図３】
2010053506.tif 000005
【図４】
2010053506.tif 000006
【図５】
2010053506.tif 000007
【図６】
2010053506.tif 000008
【図７】
2010053506.tif 000009
【図８】
2010053506.tif 000010
【図９】
2010053506.tif 000011
【図１０】
2010053506.tif 000012
【図１１】
2010053506.tif 000013
【図１２】
2010053506.tif 000014
【図１３】
2010053506.tif 000015
【図１４】
2010053506.tif 000016
【図１５】
2010053506.tif 000017
【図１６】
2010053506.tif 000018
【図１７】
2010053506.tif 000019
【図１８】
2010053506.tif 000020
【図１９】
2010053506.tif 000021
【図２０】
2010053506.tif 000022